(57)【要約】【課題】簡単な構造で荷重特性を向上できるコネクタ装置を提供する。【解決手段】コネクタ装置１０は、リジッド基板１２上に少なくともフレキシブルプリント基板１３が接続された基板体１１と、基板体１１のフレキシブルプリント基板１３に電気的に接続されたコネクタ本体１４と、を備え、コネクタ本体１４は、リジッド基板１２とは独立した筐体に保持可能である。【選択図】図１
2013069525.tif 000002
【特許請求の範囲】
【請求項１】
リジッド基板上に少なくともフレキシブルプリント基板が接続された基板体と、
前記基板体に設けられ、前記フレキシブルプリント基板に電気的に接続されたコネクタ本体と、を備え、
前記コネクタ本体は、前記リジッド基板とは独立した筐体に保持可能であることを特徴とするコネクタ装置。
【請求項２】
前記コネクタ本体は、前記基板体を構成する前記リジッド基板から予め定められた距離だけ離隔して配置されたことを特徴とする請求項１に記載のコネクタ装置。
【請求項３】
前記フレキシブルプリント基板は、前記基板体を構成する前記リジッド基板と、前記コネクタ本体との間において、弾性反発力を蓄積可能であることを特徴とする請求項１または２に記載のコネクタ装置。
【請求項４】
前記コネクタ本体は、締結手段により前記筐体に固定可能であることを特徴とする請求項１〜３のいずれか１項に記載のコネクタ装置。
【発明の詳細な説明】
【技術分野】
【０００１】
本発明は、携帯電話機等の電子機器に設けられて他の電子機器と電気的な接続に適用されるマイクロＵＳＢコネクタ等のコネクタ装置に関する。
【背景技術】
【０００２】
従来、筐体に接続口が形成され、コネクタは、導電材製のコネクタケースの内部に接続端子が収容された構成をなすコネクタ装置が知られている（例えば、特許文献１参照）。
このコネクタ装置では、コネクタが、接続端子が接続口を介して外部に臨むとともに、コネクタケースが接続口を内側から閉鎖するように筐体の内面に取り付けられ、回路部とコネクタとがフレキシブル接続線により接続されている。
【０００３】
また、ハウジングと、ハウジング内に配された電子回路と、ハウジングの側壁に配されたコネクタ接続部と、を備えたコネクタ装置が知られている（例えば、特許文献２参照）。
このコネクタ装置は、コネクタ接続部が、ハウジング内に延びる内部コネクタと、内部コネクタに剛体的に取り付けられ、ハウジングの外部から接続可能であるとともに、内部コネクタに電気的に接続される補助コネクタと、を備えている。
また、このコネクタ装置は、内部コネクタを電子回路に電気的に接続する弾性部材を備え、その弾性部材が、コネクタ接続部に加えられた外部の衝撃力が約１０％未満に低減されて、電子回路に伝わるように構成されている。また、弾性部材は、フレキシブルプリント回路から構成されている。
【先行技術文献】
【特許文献】
【０００４】
【特許文献１】特開２００４−２４１６８８号公報
【特許文献２】特開２００６−５２７５１７号公報
【発明の概要】
【発明が解決しようとする課題】
【０００５】
従来、マイクロＵＳＢコネクタ等のコネクタは、電気的制御の容易性を考慮して、基板に直接搭載されている。
そのため、そのコネクタは、基板への搭載の位置ずれや製品の組立て方法の懸念から、コネクタおよびその周囲を強固に固定することが困難であった。
特に、モバイル端末等に常備されているマイクロＵＳＢコネクタ等のコネクタは、充電や他機器との接続や、内部への情報の書き込みおよび読み取り等の様々な用途に使用される。そのため、そのコネクタは、使用頻度が高く、接続中に外部から動的または静的な負荷を受けるおそれがあった。
【０００６】
ところで、従来、図５に示すように、コネクタ本体１０１がリジッド基板１０２に直接搭載されたコネクタ装置１００が提案されている。
ところが、コネクタ装置１００は、相手側コネクタ１１０の挿脱に伴い、図中に矢印で示す負荷Ｆによって搭載部分の半田へのクラック損傷等を受けることがあった。
したがって、コネクタ装置１００は、コネクタ本体１０１およびリジッド基板１０２の使用が不可能となることがあった。
【０００７】
また、図６に示すように、コネクタ装置１００では、リジッド基板１０２に直接搭載されたコネクタ本体１０１が、図中の上部に配置される第一筐体１１１と、図中の下部に配置される第二筐体１１２との間に挟み込んで固定されている。
そのため、コネクタ装置１００は、第一筐体１１１または第二筐体１１２に与えられる荷重を直接受けることになる。
したがって、コネクタ装置１００は、コネクタ本体１０１の使用が不可能となるおそれがあった。
【０００８】
一方、特許文献１に記載のコネクタ装置は、コネクタの取付け精度を高くすることなく確実な電磁波ノイズのシールドを図ることができる。
しかし、特許文献１に記載のコネクタ装置は、回路部とコネクタとをフレキシブル接続線により接続しているものの、回路部とコネクタとが、一体構造の筐体本体とリアパネルとにリジッドに固定されている。
したがって、特許文献１に記載のコネクタ装置は、筐体本体またはリアパネルに荷重が加えられたときに、回路部およびコネクタに対して荷重が直接的に与えられるために、回路部およびコネクタを破損するおそれがあった。
【０００９】
他方、特許文献２に記載のコネクタ装置は、補助コネクタが、内部コネクタと電気的に接続され、弾性部材が内部コネクタと電子回路とを電気的に接続する。弾性部材を有することにより、コネクタ接続部に加わった外部からの衝撃力を約１０％未満に低減できる。
しかし、特許文献２に記載のコネクタ装置は、コネクタ接続部が、内部コネクタと、補助コネクタとから構成されているために、部品点数が多くなり、製造時に、複数の部品管理に多くの工数を必要として工数の増大をまねくという問題があった。
【００１０】
本発明は、上述した課題を解決するためになされたものであり、簡単な構造で荷重特性を向上できるコネクタ装置を提供することを目的とする。
【課題を解決するための手段】
【００１１】
本発明に係るコネクタ装置は、リジッド基板上に少なくともフレキシブルプリント基板が接続された基板体と、前記基板体に設けられ、前記フレキシブルプリント基板に電気的に接続されたコネクタ本体と、を備え、前記コネクタ本体は、前記リジッド基板とは独立した筐体に保持可能であることを特徴とする。
【００１２】
本発明に係るコネクタ装置において、前記コネクタ本体は、前記基板体を構成する前記リジッド基板から予め定められた距離だけ離隔して配置されたことが好ましい。
【００１３】
本発明に係るコネクタ装置において、前記フレキシブルプリント基板は、前記基板体を構成する前記リジッド基板と、前記コネクタ本体との間において、弾性反発力を蓄積可能であることが好ましい。
【００１４】
本発明に係るコネクタ装置において、前記コネクタ本体は、締結手段により前記筐体に固定可能であることが好ましい。
【発明の効果】
【００１５】
本発明に係るコネクタ装置によれば、簡単な構造で荷重特性を向上できる。
【図面の簡単な説明】
【００１６】
【図１】本発明に係る一実施形態のコネクタ装置の斜め上方から視た外観斜視図である。
【図２】本発明に係る一実施形態のコネクタ装置のコネクタ本体周りの側面視垂直断面図である。
【図３】本発明に係る一実施形態のコネクタ装置のコネクタ本体周りの正面視垂直断面図である。
【図４】本発明に係る一実施形態のコネクタ装置の作用を説明する側面視垂直断面図である。
【図５】従来のコネクタ装置の側面図である。
【図６】従来のコネクタ装置の正面視垂直断面図である。
【発明を実施するための形態】
【００１７】
以下、本発明に係る一実施形態のコネクタ装置について図面を参照して説明する。
図１は、本発明に係る一実施形態のコネクタ装置の斜め上方から視た外観斜視図である。
本実施形態のコネクタ装置１０は、リジッド基板１１、および、リジッド基板１１上に設けられ、リジッド基板１１に電気的に接続されたフレキシブルプリント基板１２を有する基板体１３と、フレキシブルプリント基板１２に電気的に接続されたコネクタ本体１４とから概略構成されている。
コネクタ装置１０は、携帯電話機に装備されて用いられる。
【００１８】
リジッド基板１１は、ガラスエポキシ製であって、下面に複数の電気部品１５が実装されており、上面に電磁シールド機能を有する板金パネル１６が取り付けられている。
【００１９】
フレキシブルプリント基板１２は、図２に示すように、可撓性を有する配線体からなり、略Ｓ字形状に屈曲されている。フレキシブルプリント基板１２は、略Ｓ字形状に屈曲された一端がリジッド基板１１に設けられているプリント回路（図示略）に電気的に接続された基端部をなし、他端がコネクタ本体１４に内蔵されているコネクタ端子（図示略）に電気的に接続された先端部をなしている。
フレキシブルプリント基板１２の基端部はリジッド基板接続部１７であり、フレキシブルプリント基板１２の先端部はコネクタ本体接続部１８である。
そして、フレキシブルプリント基板１２は、リジッド基板接続部１７とコネクタ本体接続部１８との間に、略Ｓ字形状に屈曲されて弾性変形可能な屈曲部１９を有する。
【００２０】
フレキシブルプリント基板１２は、屈曲部１９が略Ｓ字形状に屈曲されていることにより、コネクタ本体１４を、リジッド基板１１の上方に予め定められた距離Ｌ１だけ離隔して浮遊状態として保持している。
また、フレキシブルプリント基板１２は、屈曲部１９が略Ｓ字形状に屈曲されているので、コネクタ本体１４に対して、リジッド基板１１と平行な方向にずらす応力が加えられた際に弾性変形する。
【００２１】
さらに、フレキシブルプリント基板１２は、屈曲部１９が略Ｓ字形状に屈曲されているので、コネクタ本体１４からリジッド基板１１に向けた応力およびリジッド基板１１からコネクタ本体１４に向けた応力により弾性変形する。
そして、屈曲部１９は、弾性変形した後に弾性復元することにより、コネクタ本体１４をリジッド基板１１に対して所定の位置に保持する。
【００２２】
コネクタ本体１４は、図３に示すように、リジッド基板１１とは独立した筐体２０に保持されている。
この筐体２０は、コネクタ本体１４の外形よりもわずかに大きい四角形の筒形状に形成されたコネクタ保持部２１を有している。このコネクタ保持部２１に、コネクタ本体１４が挿入されることにより、コネクタ本体１４が筐体２０に支持される。
そして、筐体２０は、携帯電話機の外郭を形成する上カバー２２および下カバー２３のうち、下カバー２３にねじ２４等の締結手段により固定される。
そのため、コネクタ本体１４は、リジッド基板１１から離れた位置において、筐体２０に支持される。
なお、締結手段としては、ねじ２４に代えて、嵌合爪等を適用してもよい。
【００２３】
次に、コネクタ装置１０の作用について説明する。
図４に示すように、コネクタ本体１４には、相手側コネクタ５１の挿脱に伴い、図中に矢印で示す負荷Ｆ１がかかることがある。
このとき、コネクタ装置１０は、フレキシブルプリント基板１２の屈曲部１９が、コネクタ本体１４からリジッド基板１１に向けた応力およびリジッド基板１１からコネクタ本体１４に向けた応力により弾性変形する。
そして、屈曲部１９は、弾性変形した後に弾性復元することにより、コネクタ本体１４をリジッド基板１１に対する所定の位置に保持する。
【００２４】
これと異なり、コネクタ本体１４への相手側コネクタ５１の挿脱に伴い、コネクタ本体１４をリジッド基板１１と平行な方向にずらす荷重Ｆ２が加えられた際に、フレキシブルプリント基板１２の屈曲部１９が弾性変形する。
そして、屈曲部１９は、弾性変形した後に弾性復元することにより、コネクタ本体１４をリジッド基板１１に対する所定の位置に保持する。
すなわち、コネクタ装置１０は、相手側コネクタ５１の挿脱に伴って与えられる荷重Ｆ１および荷重Ｆ２がフレキシブルプリント基板１２に吸収されることにより、コネクタ本体１４に直接与えらない。
【００２５】
以上、説明したように、コネクタ装置１０によれば、コネクタ本体１４がリジッド基板１１とは独立した筐体２０に保持されるために、筐体２０に荷重が加えられた際に、その荷重がコネクタ本体１４からリジッド基板１１に直接与えられることがない。
従って、コネクタ装置１０によれば、簡単な構造で荷重特性を向上できる。
【００２６】
また、コネクタ装置１０によれば、コネクタ本体１４に対して相手側コネクタ５１が挿脱される際に、アーク等の発生に伴い発生する外乱をリジッド基板１１上に実装されている電気部品１５に与えないようにできる。
【００２７】
そして、コネクタ装置１０によれば、コネクタ本体１４に荷重が加えられた際に、その荷重がコネクタ本体１４からリジッド基板１１に直接与えられることがない。
【００２８】
さらに、コネクタ装置１０によれば、フレキシブルプリント基板１２は、与えられた弾性反発力により弾性変形した後に、弾性復元するために、コネクタ本体１４の位置ずれを防止できる。
【００２９】
加えて、コネクタ装置１０によれば、コネクタ本体１４が、筐体２０に、ねじ２４により固定されることにより、コネクタ本体１４がリジッド基板１１から独立して筐体２０に強固に固定されて高い強度を得られる。
【００３０】
なお、本発明に係るコネクタ装置は、上述したコネクタ装置１０に限定されるものでなく、適宜の変形や改良等が可能である。
【産業上の利用可能性】
【００３１】
本発明に係るコネクタ装置によれば、簡単な構造で荷重特性を向上できるものである。その結果として、携帯電話機に加えて、ＰＨＳやＰＤＡやノート型パソコンやＷｉ−Ｆｉルーター等のモバイル装置に適用でき、本発明の産業上の利用可能性は大といえる。
【符号の説明】
【００３２】
１０  コネクタ装置
１１  基板体
１２  リジッド基板
１３  フレキシブルプリント基板
１４  コネクタ本体（マイクロＵＳＢコネクタ）
２０  筐体
２４  ねじ（締結手段）
【図１】
2013069525.tif 000003
【図２】
2013069525.tif 000004
【図３】
2013069525.tif 000005
【図４】
2013069525.tif 000006
【図５】
2013069525.tif 000007
【図６】
2013069525.tif 000008